(57)【要約】      （修正有）【課題】皮脂をピンポイントに抽出できるようにするとともに、採取した皮脂を貯留して検査できるようにした皮脂吸引具を提供する。【解決手段】上流側の吸引ポンプ７に接続される吸引流路２２を有する装置本体２と、吸引流路２２の下流側に着脱可能に取り付けられるフィルター部３と、このフィルター部３の下流側に着脱可能に取り付けられる吸引ノズル４とを有するように構成する。そして、この吸引ノズル４の内側空間４２を、先端開口部４１から上流側に向かって内側寸法が幅広となるようにテーパー状に構成し、これによって先端開口部４１で吸い込んだ皮脂の吸引力を低下させて内面に付着させるようにする。また、吸引ノズル４とフィルター部３との間に、Ｕ字状の脱着用治具を挟み込ませるようにした凹部５ａを設け、直接吸引ノズル４を触ることなく吸引ノズル４を取り外せるようにする。【選択図】図１
2015105894.tif 000002
【特許請求の範囲】
【請求項１】
上流側の吸引ポンプに接続される吸引流路を有する装置本体と、
当該吸引流路の下流側に着脱可能に取り付けられる吸引ノズルとを有し、
当該吸引ノズルの先端開口部から皮脂を吸引するようにした皮脂吸引具において、
当該吸引ノズルを、
先端開口部から上流側に向けて内側寸法が幅広くなるようにテーパー状に構成するようにしたことを特徴とする皮脂吸引具。
【請求項２】
前記吸引ノズルと装置本体との間にフィルター部を設け、
吸引ノズルとフィルター部との間に脱着用治具を係止させるための凹部を形成するようにした請求項１に記載の皮脂吸引具。
【請求項３】
吸引ノズルの外周に脱着用治具を係止させるための凹部を形成するようにした請求項１に記載の皮脂吸引具。
【請求項４】
前記吸引ノズルが、内部を視認可能に構成されるものである請求項１に記載の皮脂吸引具。
【発明の詳細な説明】
【技術分野】
【０００１】
本発明は、皮膚から分泌される皮脂を吸引して検査できるようにした皮脂吸引具に関するものである。
【背景技術】
【０００２】
従来より、人間の皮膚から分泌される皮脂を検査して、病気の原因などを調べられるようにする方法が提案されている。このような検査方法としては、一般的に、スプーンのような器具を用いて皮脂を掻き出して検査するようにしたものであり、これによって、痒みの原因やドライアイの原因、あるいは、アトピーの原因などを検査できるようにしたものである。また、エステティックの分野においては、図６に示すように、先端側に設けられた幅広の吸引口９１から皮脂を吸引できるようにして、肌の汚れや、肌について余分な皮脂を取り除くようにした吸引具９も提案されている（特許文献１）。
【先行技術文献】
【特許文献】
【０００３】
【特許文献１】登録実用新案第３０１７２７７号公報
【発明の概要】
【発明が解決しようとする課題】
【０００４】
しかしながら、このような器具や吸引具９などを用いて皮脂を採取する場合、次のような問題がある。
【０００５】
すなわち、スプーンのような器具で皮脂を採取する場合、検査対象となる皮脂（例えば、毛穴や目の周囲のマイボーム腺から分泌される皮脂など）とは関係ない部分の皮脂までも採取してしまい、検査精度が悪くなってしまう。
【０００６】
また、上記特許文献１に記載される吸引具９で皮脂を吸引する場合、皮脂を吸引する側の吸引口９１が幅広く構成されているため、毛穴やマイボーム腺などからピンポイントに皮脂を吸引することができない。
【０００７】
これに対して、このような吸引具９の吸引口９１を小さくすることも考えられるが、吸引口９１を小さくしたとしても、どれくらい皮脂を吸引できたかを把握することができず、また、吸引された皮脂がそのまま装置本体側まで吸引されてしまい、その後の使用において不衛生なものになってしまう。
【０００８】
さらには、吸引した皮脂を検査に出す場合、その先端部分を取り外す必要があるが、その先端部分を取り外す際に吸引口９１を手で触ってしまうと、雑菌が入って検査の精度が悪くなってしまう。
【０００９】
そこで、本発明は上記課題に着目してなされたもので、皮脂をピンポイントに吸引することができるようにするとともに、簡単な構造で吸引した皮脂を装置本体側まで吸引されないようにした皮脂吸引具を提供することを目的とする。
【課題を解決するための手段】
【００１０】
すなわち、本発明は上記課題を解決するために、上流側の吸引ポンプに接続される吸引流路を有する装置本体と、当該吸引流路の下流側に着脱可能に取り付けられる吸引ノズルとを有し、当該吸引ノズルの先端開口部から皮脂を吸引するようにした皮脂吸引具において、当該吸引ノズルを、先端開口部から上流側に向けて内側寸法が幅広くなるようにテーパー状に構成するようにしたものである。
【００１１】
このように構成すれば、吸引ノズルの内側寸法をテーパー状に構成したので、先端開口部で強く吸引された皮脂の吸引速度を弱くすることができ、その皮脂を内側空間の先端開口部近辺に付着させて貯留させておくことができる。
【００１２】
また、このような発明において、前記吸引ノズルと装置本体との間にフィルター部を設け、吸引ノズルとフィルター部との間に脱着用治具を係止させるための凹部を形成する。
【００１３】
このようにフィルター部を設けるようにすれば、皮脂が装置本体側に吸引されることを防止できるとともに、吸引ノズルとフィルター部との間の脱着用治具を係止させて吸引ノズルを分離することができるので、吸引ノズルを手で触ることなく吸引ノズルを分離することができる。
【００１４】
また、別の実施の態様として、前記吸引ノズルの外周に脱着用治具を係止させるための凹部を形成することもできる。
【００１５】
このように構成した場合であっても、吸引ノズルの外周に形成された凹部に脱着用治具を係止させることができるため、吸引ノズルを手で触ることなく吸引ノズルを分離することができる。
【００１６】
さらに、前記吸引ノズルを、内部を視認できるような素材で構成する。
【００１７】
このようにすれば、検査用の皮脂がどれくらい採取できたかを把握することができるため、皮脂の採取作業を効率的に行わせることができるようになる。
【発明の効果】
【００１８】
本発明によれば、上流側の吸引ポンプに接続される吸引流路を有する装置本体と、当該吸引流路の下流側に着脱可能に取り付けられる吸引ノズルとを有し、当該吸引ノズルの先端開口部から皮脂を吸引するようにした皮脂吸引具において、当該吸引ノズルを、先端開口部から上流側に向けて内側寸法が幅広くなるようにテーパー状に構成するようにしたので、先端開口部で強く吸引された皮脂の吸引速度を弱くすることができ、その皮脂を内側空間の先端開口部近辺に付着させて貯留させておくことができる。
【図面の簡単な説明】
【００１９】
【図１】本発明の一実施の形態における皮脂吸引具の概略図
【図２】同形態におけるフィルター部と吸引ノズルを示す図
【図３】他の実施の形態におけるフィルター部と吸引ノズルを示す図
【図４】同形態における脱着用治具による取り外し例を示す図
【図５】同形態における皮脂の吸引状態を示す図
【図６】従来例における皮脂吸引具
【発明を実施するための最良の形態】
【００２０】
以下、本発明の一実施の形態について図面を参照しながら説明する。
【００２１】
この実施の形態における皮脂吸引具１は、例えば、目の周囲のマイボーム腺から分泌された皮脂を採取してドライアイの原因などを検査できるようにしたものであって、図１に示すように、上流側の吸引ポンプ７に接続される装置本体２と、その装置本体２の吸引流路２２の下流側に取り付けられるフィルター部３と、当該フィルター部３の下流側に取り付けられる吸引ノズル４とを有するように構成される。として、特徴的には、その吸引ノズル４とフィルター部３とを分離できるように構成するとともに、図２から図５に示すように、吸引ノズル４の先端開口部４１から上流側に向けて内側寸法が幅広となるようにテーパー状に構成するようにしたものである。以下、本実施の形態について図面を参照しながら説明する。
【００２２】
装置本体２は、アルミなどを金属加工して製造されるものであって、上流側に吸引ポンプ７からのチューブを接続する接続部２１ｂを設け、そこから先端側（下流側）に向けて一本の吸引流路２２を形成するようにしている。この吸引流路２２の途中には、吸引遮断機構２３が設けられており、操作ボタン２４の押下によってエアーを吸引できるようにしている。
【００２３】
この吸引遮断機構２３は、操作ボタン２４と、その操作ボタン２４の押圧によってシリンダ２５内で進退するピストン２６とを設けて構成されている。この操作ボタン２４は、装置本体２の上面側に設けられ、そこから垂下する軸部材２７にピストン２６を取り付けて上下方向に操作できるようになっている。このピストン２６は、装置本体２の上面に設けられた開口部２８から挿入され、その状態でカバーによってその開口部２８をネジで塞ぐように取り付けられる。一方、ピストン２６の壁面は、吸引流路２２を遮断できるようになっており、常時バネ２９によって上方に位置するようになっている。そして、自然状態では吸引流路２２が遮断されるようになっており、操作ボタン２４を押下した場合にのみピストン２６の吸引流路２２ａと装置本体２の吸引流路２２を導通させてエアーを吸引できるようなっている。
【００２４】
一方、この装置本体２の下流側の接続部２１ｆにはフィルター部３が取り付けられる。このフィルター部３は、図１や図２に示すように、装置本体２の下流側の接続部２１ｆを覆うように取り付けられる本体側接続部３１と、後述する吸引ノズル４を接続するノズル側接続部３２とを設け、これらの本体側接続部３１とノズル側接続部３２との間に大径に構成されたフランジ部３３を有するように構成されている。そして、このフランジ部３３の内部にフィルター３４を挟み込み、これによって内部のフィルター３４を固定できるようにしている。このフィルター３４をフランジ部３３に挟み込む場合、フランジ部３３を吸引流路２２の垂直方向に分割しておき、その状態で内側にフィルター３４を挟み込んでそれぞれを溶着させて挟み込むようにする。
【００２５】
このフィルター部３のノズル側接続部３２に連結される吸引ノズル４は、フィルター部３から着脱できるようにしたものであって、透明もしくは半透明の樹脂などによって内部を視認できるようになっている。この吸引ノズル４の先端開口部４１は、マイボーム腺などの大きさに対応して、例えば、内径が０．１ｍｍ程度になっており、マイボーム腺以外の部分から余分な皮脂を吸引しないようにしている。また、この先端開口部４１から内側寸法については、漸次上流側に向けて内側寸法を大きくしたテーパー状に構成されており、これによって先端開口部４１から吸引された皮脂を内側空間４２に貯留できるようになっている（図５参照）。なお、ここで、先端開口部４１から内側空間４２までを注射針のように直線状にしてもよいが、このようにすると注射針の直線状の区間内で皮脂が詰まって硬化してしまい、連続して吸引できなくなる可能性がある。そこで、ここでは、先端開口部４１から内側壁面を傾斜させるようにし、これによって図５に示すように内側空間４２の近傍に皮脂を付着させるようにしている。
【００２６】
一方、この吸引ノズル４の上流側端部４３については、フィルター部３のノズル側接続部３２に取り付けられるように構成している。この吸引ノズル４をフィルター部３に取り付ける場合、吸引ノズル４とフィルター部３との連結部分に隙間が存在しないと、吸引ノズル４を取り外す際に吸引ノズル４の外周を手で挟んで引き抜く必要がある。しかるに、このように手で挟むと、内側空間４２への押さえ付けによって内部圧力が高くなってしまい、採取した皮脂が先端開口部４１から飛び出てしまう可能性がある。さらには、その手によって雑菌が先端開口部４１に付着してしまい、検査の精度が悪くなってしまう。そこで、この実施の形態では、フィルター部３と吸引ノズル４の間に、Ｕ字状の脱着用治具８を挟み込んで係止させるための凹部５ａ（図１や図２参照）を形成するようにしている。この凹部５ａは、図２に示すように、フィルター部３のノズル側接続部３２を先細りとなるようにテーパー状にしておき、このノズル側接続部３２に吸引ノズル４を途中まで差し込めるようにして、フランジ部３３と吸引ノズル４の上流側端部４３との間に凹部５ａを形成する。また、吸引ノズル４を無理に差し込んだ場合であっても、フランジ部３３との間に凹部５ａを形成できるように、フィルター部３のノズル側接続部３２に大径部３２ａを設けて段差を有するようにしておき、この大径部３２ａによって凹部５ａを形成できるようにしておく。
【００２７】
また、この凹部５ｂについては、図３のように構成することもできる。この図３は、吸引ノズル４の外周部に凹部５ｂを形成するようにしたものであって、この凹部５ｂに図４のようなＵ字状の脱着用治具８を係止させるようにしたものである。この凹部５ｂについては、吸引ノズル４の外周全体について形成するようにしてもよく、あるいは、外周の一部についてのみ形成するようにしてもよい。
【００２８】
次に、このように構成された皮脂吸引具１の使用方法について説明する。
【００２９】
まず、この皮脂吸引具１を使用する場合、吸引ポンプ７のチューブを装置本体２の接続部２１ｂに接続するとともに、その装置本体２の反対側端部（下流側端部）にフィルター部３を取り付ける。そして、このフィルター部３の下流側に吸引ノズル４を取り付けるようにする。この吸引ノズル４を取り付ける場合、吸引ノズル４の上流側端部４３をフィルター部３の大径部３２ａとの段差に密着するように差し込み（図２の状態）、これによってフランジ部３３と吸引ノズル４との間に凹部５ａを形成するようにしておく。
【００３０】
そして、このように吸引ノズル４を取り付けて吸引ポンプ７を作動させる。すると、装置本体２の吸引流路２２からエアーが吸引されるが、操作ボタン２４を押下していない状態では、そのピストン２６の壁面によって吸引流路２２が遮断されているので吸引ノズル４からエアーを吸い込むことがない。
【００３１】
そして、このように吸引動作を開始させた状態で、吸引ノズル４の先端開口部４１をマイボーム腺に接触させて、そこから分泌される皮脂６を吸引する。この吸引の際には、操作ボタン２４を押下させて吸引力を調整して皮脂６を吸い込むようにする。このようにして皮脂６を吸い込むと、その皮脂６は先端開口部４１から強く吸い込まれるようになる。しかしながら、吸引ノズル４の内側空間４２は上流側に向かってテーパー状に広がっているため、図５に示すように、吸い込まれた後に吸引力が弱くなり、先端開口部４１の近傍の内側壁面にその皮脂６が付着するようになる。そして、同様に他のマイボーム腺からも皮脂６を吸引し、透明もしくは半透明の吸引ノズル４を外から視認して適量だけ吸い込んで吸引動作を停止させる。
【００３２】
次に、このように皮脂６を吸い込んだ吸引ノズル４を取り外す際には、図４に示すように、あらかじめ用意された採取用の試験管に液体を入れて吸引ノズル４を差し込み、その状態でＵ字状の脱着用治具８をフィルター部３のフランジ部と吸引ノズル４の間の凹部５ａに係止させる。そして、その状態でフランジ部３３を持って脱着用治具８を先端側にスライドさせて吸引ノズル４を取り外す。
【００３３】
一方、図３に示すような吸引ノズル４の外周に凹部５ｂが形成されている場合は、その外周に形成された凹部５ｂにＵ字状の脱着用治具８を係止させ、フランジ部３３を持って吸引ノズル４を引き抜く。そして、その引き抜かれた吸引ノズル４を採取用の試験管に入れて検査に出せるようにする。
【００３４】
そして、このように被験者から皮脂を採取した後、新たな吸引ノズル４を取り付けて次の被験者に備えるようにする。なお、ここでは、吸引ノズル４のみを付け替えるようにしているが、フィルター部３についても一緒に交換できるようにしてもよい。
【００３５】
このように上記実施の形態によれば、上流側の吸引ポンプ７に接続される吸引流路２２を有する装置本体２と、当該吸引流路２２の下流側に着脱可能に取り付けられる吸引ノズル４とを有してなり、当該吸引ノズル４の先端開口部４１から皮脂を吸引するようにした皮脂吸引具１において、当該吸引ノズル４を、先端開口部４１から上流側に向けて内側寸法が幅広となるようにテーパー状に形成するようにしたので、先端開口部４１で吸引された皮脂の吸引力を急激に弱くさせることができ、その皮脂を内側空間４２の先端開口部４１近辺に付着させて貯留させておくことができる。
【００３６】
また、前記吸引ノズル４の上流側に隣接してフィルター部３を設け、吸引ノズル４とフィルター部３との間に脱着用治具８を係止させるための凹部５ａを形成したり、あるいは、吸引ノズル４の外周部に凹部５ｂを形成するようにしたので、これらの凹部５ａ、５ｂに脱着用治具８を挟み込ませることができ、手を触れることなく吸引ノズル４を分離することができる。このとき、後者のように吸引ノズル４の外周部に凹部を形成すれば、吸引ノズル４を付ける際にも脱着用治具８を用いてフィルター部３に取り付けることができる。
【００３７】
さらには、前記吸引ノズル４を、内部を視認できるような素材で構成したので、検査用の皮脂がどれくらい採取できたかを把握することができ、採取作業を効率的に行わせることができるようになる。
【００３８】
なお、本発明は上記実施の形態に限定されることなく、種々の態様で実施することができる。
【００３９】
例えば、上記実施の形態では、フィルター部３を設けるようにしているが、このフィルター部３を設けないようにしてもよい。もしくは、フィルター部３を設ける場合は、装置本体２の内部に設けるようにしてもよい。
【００４０】
また、上記実施の形態では、吸引ノズル４をフィルター部３から取り外すようにしているが、フィルター部３と一体化して装置本体２から取り外すようにしてもよい。
【００４１】
さらに、上記実施の形態では、吸引ノズル４の先端開口部４１からテーパー状に内側空間４２を形成するようにしたが、吸引後にその吸引力を弱くさせることができるような形状であればどのような形状であってもよい。
【符号の説明】
【００４２】
１・・・皮脂吸引具
２・・・装置本体
２１ｂ、２１ｆ・・・接続部
２２・・・吸引流路
２３・・・吸引遮断機構
２４・・・操作ボタン
２５・・・シリンダ
２６・・・ピストン
２７・・・軸部材
２８・・・開口部
２９・・・バネ
３・・・フィルター部
３１・・・本体側接続部
３２・・・ノズル側接続部
３２・・・大径部
３３・・・フランジ部
３４・・・フィルター
４・・・吸引ノズル
４１・・・先端開口部
４２・・・内側空間
４３・・・上流側端部
５ａ、５ｂ・・・凹部
６・・・皮脂
７・・・吸引ポンプ
８・・・脱着用治具
【図１】
2015105894.tif 000003
【図２】
2015105894.tif 000004
【図３】
2015105894.tif 000005
【図４】
2015105894.tif 000006
【図５】
2015105894.tif 000007
【図６】
2015105894.tif 000008